(57)【要約】【課題】  既存の建物外壁８に耐震補強層１１と断熱層１２を一体化させて施工することによって耐震性と断熱性を同時に発揮させると共に改修工事を専ら建物外部から同時に行なって改修コストと工期を半減できる建物外壁補強構造と強化施工法を提供する。【手段】建物の開口部の外周に補強保持枠を固定すると共に繊維ネット１６を内装した接着モルタル層１５、１７の下縁１１Ｂと上縁１１Ａを建物の土台３と桁４に夫々固定１８して、建物外壁８の全面にネット内装モルタル耐震層１１を構成させ、この耐震層の表面に断熱層１２を密着させて防火モルタル２０を塗工することにより、耐震・断熱強化壁９を構成する。【選択図】  図２
2008231701.tif 000002
【特許請求の範囲】
【請求項１】
繊維製ネットを樹脂モルタル内に内装させたネット内装モルタルによる耐震層が、その上縁と下縁を建物の土台と桁に夫々固定されて建物の開口部を除く既存外壁面に設けられ、前記ネット内装モルタル耐震層とこの耐震層表面に密着一体化させた断熱層が防火モルタルによって被覆塗工されて耐震・断熱強化壁が構成されてなる既存建物補強構造。
【請求項２】
既存外壁面とネット内装モルタル耐震層がシート材を介して離間されてなる請求項１記載の建物補強構造。
【請求項３】
建物の開口部の既存枠の外周に補強保持枠が固定され、ネット内装モルタル耐震層とこれに密着した断熱ブロックを保持してなる請求項１又は２記載の建物補強構造。
【請求項４】
建物外壁の一部を除去して土台と桁の側面を露出させると共に建物の開口部の外周に補強保持枠を固定する工程と、建物の開口部を除く既存外壁面に離間用シートを仮着する工程と、前記土台及び桁側面と前記シート面に樹脂モルタルを塗工すると共に繊維製ネットを介装して更に樹脂モルタルを上塗りしてネット内装モルタル層を形成する工程と、このネット内装モルタル層の上縁及び下縁を前記土台と桁に夫々固定する工程と、樹脂モルタル面に断熱層を密着させて前記ネット内装モルタルを固化させて耐震層を形成する工程と、前記耐震層及び断熱層を防火モルタルによって被覆塗工する工程とからなる建物強化方法。
【発明の詳細な説明】
【技術分野】
【０００１】
この発明は、既存木造家屋の外壁に耐震補強と外張り断熱構造を同時に付与する施工法及び構造体に関する。
【背景技術】
【０００２】
従来の耐震補強工事は、軸組み内に不足量の筋交いや壁を増設する工法（非特許文献１）であって建物内部から行い、一方、外張り断熱（以下、単に外断熱という）工事は、建物外周面に対して建物外部から行われ（非特許文献２）ており、二つの改修工事が別個に行われるので後期も長くなり不経済であった。
【０００３】
【非特許文献１】（財）日本建築防災協会「住宅等防災技術評価概要」（平成１８年９月１日）「耐震セイフティ工法」
【非特許文献２】北海道建設部建築指導課、２００５年３月発行「よくわかる外断熱工法」
【発明の開示】
【発明が解決しようとする課題】
【０００４】
本発明は、建物外壁に耐震補強層と断熱層を一体化させて施工することによって耐震性と断熱性を同時に発揮させると共に改修工事を専ら建物外部から一挙に行なって改修コストと工期を半減できる建物外壁補強構造と強化施工法とを提供するものである。
【課題を解決するための手段】
【０００５】
本発明耐震・断熱補強構造は、繊維製ネットを樹脂モルタル内に内装させたネット内装モルタルによる耐震層が、その上縁と下縁を建物の土台と桁に夫々固定されて建物の開口部を除く既存外壁面に設けられると共にネット内装モルタル耐震層表面に断熱ブロックによる断熱層を密着一体化させてこれらを防火モルタルによって被覆塗工してなるものである。
本発明において、既存外壁面とネット内装モルタル耐震層とは、接合させるよりも別体として分離させるのが好ましく、このため合成樹脂製シートなどを介装させてから耐震層形成用のモルタルを塗工するのがよい。
また、ネット内装モルタル耐震層とこれに密着した断熱ブロックは、建物の開口部の既存枠の外周に固定した補強保持枠に保持させる。
【０００６】
本発明の施工方法は、建物外壁の一部を剥離除去して土台と桁の側面を露出させると共に建物の開口部の外周に補強保持枠を固定してから建物の開口部を除く外壁面に離間用シートを接着剤などによって仮着させておく。
その後、土台及び桁側面とシート面に樹脂モルタルを塗工すると共に繊維製補強ネットを介装させて更に、樹脂モルタルを上塗りしてネット内装モルタル層とする。
次いで、ネット内装モルタル層の上縁及び下縁を土台と桁に止め釘などによって夫々所定間隔で固定してからモルタルの接着力が低下しない内に、耐熱層を密着させる。
ネット内装モルタルが固化して積層合着板体となって耐震層が構成されると共に断熱層が一体となって構成される。  その後、  耐震層と断熱層を防火モルタルによって被覆塗工することによって強化壁が得られる。
補強保持枠は、断面コ状のアルミや鋼材などの金属製チャンネル部材を方形又は門型に形成したもので耐震層とブロックを挟持できるのがよい。
繊維製ネットとしては、アラミド繊維、炭素繊維、ガラス繊維などによる２次元又は３次元織物であって網目間隔が３〜２０ｍｍのものである。
樹脂モルタルは、エポキシ樹脂と砂、或は接着性ポリマー、セメント、砂などの混合組成物である。
耐震層の厚さは通常、１５〜３５ｍｍ、断熱層（発泡ポリスチレンなどの市販の成型品）の厚さは、１５ｍｍ以上、防火モルタルの塗り厚２０ｍｍ以上とする。
なお、防火モルタルの表面に仕上げモルタルによる仕上げ層を塗工することもできる。
【発明の効果】
【０００７】
本発明補強構造によると、耐震と外断熱施工が同時にできるばかりでなく、これらの施工を建物内部に入ることなく実施できる利点があり、施工が容易になる。
また、補強保持枠によって開口部の補強のみならず壁体全体の補強効果も得られる。
更に、本発明の耐震層は、断熱ブロックを一体化して保持すると共に土台や桁（梁）などの水平部材とも一体化しているので強固な耐震構造を実現できる。
【発明を実施する最良の形態】
【０００８】
以下、本発明構造を施工法と共に図について説明する。
図中、１は既存の木造家屋、２は布基礎、３は土台、４は桁又は梁、５は出入り口や窓などの開口部、６はサッシその他の既存の枠体、７は柱、８は外壁である。
９は、外壁８の表面に構成した強化壁、１０は、開口部の周囲に固定した方形又は門型の金属製保持枠であって強化壁の保持と開口部の補強を兼ねるものである。
強化壁９は、耐震層１１と断熱層１２の密着体によって構成されるもので、耐震層は繊維ネットを内装する樹脂モルタルが合着固化して形成され、断熱層を形成する発泡体成型品は、耐震層と一体化されて構成される。
【０００９】
耐震層１１は、次のように施工される。
予め、窓枠などの開口部の外周に保持枠９を固定すると共に土台及び桁部の外壁を剥離除去１３して土台３と桁４の側面を露出させる（図２（Ａ））。
次に、既存外壁面と耐震層を密着させないようにするため、外壁の樹脂モルタル施工面にビニルなどのシート材１４を接着剤などによって仮止めしておく。
外壁除去部１３に樹脂モルタルを埋め込むと共にシート面に樹脂モルタル下地層１５を塗布してその全面に繊維製ネット１６を貼付け、更に樹脂モルタル１７を上塗りしてネット内装モルタルＮＭを形成させ、その上縁１１Ａと下縁１１Ｂを夫々、桁４と土台３に沿って所定間隔で釘止め固定１８する（図２（Ｂ））。
【００１０】
上塗りモルタル１７が固化しない内に、ブロック状断熱材１９を貼付ける。
その後、外面全面に防火モルタル２０を塗工して強化壁９が構成される（図２（Ｃ））。
上記した施工によって、ネット内装樹脂モルタルＮＭが固化した耐震層１１は、家屋の土台と桁の間に積層合着板体となって固定されると共に断熱ブロック１９と合体して丈夫な強化壁を構成する。
【図面の簡単な説明】
【００１１】
【図１】強化家屋の立面図
【図２】施工工程の説明図であって（Ａ）は土台と桁部の露出状態を示す図、（Ｂ）はネット内装モルタル耐震層の構成図、（Ｃ）は強化壁の縦断側面図
【図３】開口部を含む横断平面図
【図４】コーナー部の横断面図
【符号の説明】
【００１２】
５  開口部
６  サッシ
７  柱
８  外壁
９  強化壁
１０  補強保持枠
１１  積層合着耐震層
１２  断熱層
１３  外壁切除部
１４  シート材
１５、１７  樹脂モルタル層
１６  繊維製ネット
１８  止め釘
１９  断熱ブロック
２０  防火モルタル
【図１】
2008231701.tif 000003
【図２】
2008231701.tif 000004
【図３】
2008231701.tif 000005
【図４】
2008231701.tif 000006